(57)【特許請求の範囲】
【請求項１】
平面部と該平面部に立設された立壁とから構成される支持体のＬ字状面に向かってレンズ枠を当接し、前記支持体に固定された押さえ具により前記レンズ枠を挟持して保持すると共に、前記レンズ枠を必要な方向に移動させる調整部材を備えたレンズ位置調整固定装置において、
前記押さえ具は、弾性による付勢力を作用させて前記レンズ枠をそれぞれ独立に保持する複数の保持部を有し、
前記支持体には、前記保持部の少なくとも一つが干渉する位置に配置された貫通孔を有することを特徴とするレンズ位置調整固定装置。
【請求項２】
前記保持部は、前記調整部材による位置調整可能な状態で前記レンズ枠を保持する第１保持部と、弾性による強い付勢力を作用させて前記レンズ枠を強固に保持する第２保持部とから構成され、
前記貫通孔と干渉される位置に配置される保持部は、前記第２保持部であることを特徴とする請求項１に記載のレンズ位置調整固定装置。
【請求項３】
前記調整部材が前記貫通孔に正確に挿入されたときに前記調整部材が前記第２保持部に当接することを特徴とする請求項２に記載のレンズ位置調整固定装置。
【請求項４】
前記第２保持部の強い付勢力は、前記調整部材の撤去により再び作用されることを特徴とする請求項２又は請求項３に記載のレンズ位置調整固定装置。
【請求項５】
前記押さえ具は、一端が支持体に固定され、他端は弾性を有する３片の板バネから構成される押圧片として形成され、第２保持部は、中央に形成され、第１保持部はその両側に形成されていることを特徴とする請求項２〜請求項４のいずれか１項に記載のレンズ位置調整固定装置。
【請求項６】
平面部と該平面部に立設された立壁とから構成されるＬ字状面にレンズ枠を当接して支持する支持体と、該支持体に固定される基部と、該基部からレンズ枠側に延びる平行な複数の弾性押圧片とを有し、該弾性押圧片の弾性による付勢力により前記レンズ枠を挟持して保持する押さえ具と、前記支持体に前記レンズ枠に連通する貫通孔を設け、前記押さえ具により保持された状態で該貫通孔を貫通して前記レンズ枠を必要な方向に移動させる調整部材とを有するレンズ位置調整固定装置において、
前記弾性押圧片は、前記基部の両側から前記レンズ枠側に平行に延びて前記支持体に弾性による付勢力を作用させて、前記調整部材による位置調整可能な状態で前記レンズ枠を保持する第１保持部と、前記基部の中央から前記レンズ枠側に延びて、前記支持体に弾性による強い付勢力を作用させて、前記レンズ枠を強固に保持する第２保持部とを有し、
前記押さえ具が固定された支持体のレンズ枠側に前記貫通孔へ連通する凹所を設け、前記第２保持部は、屈曲されて前記貫通孔へ延びて突出する突出部が形成され、前記調整部材を前記貫通孔を貫通して装填することによって、前記突出部が前記調整部材の一部と干渉して前記第２保持部が弾性変形されて前記強い付勢力が解除または緩和されることにより前記調整部材によるレンズ位置の調整が可能とされることを特徴とするレンズ位置調整固定装置。
【請求項７】
前記調整部材は、先端に偏心ピンを有し、回動させることにより前記レンズ枠の移動が可能とされる調整棒を有すると共に、前記貫通孔に前記調整棒を挿入・撤去する方向と、前記レンズ枠の移動のために前記調整棒を回動させる回動方向とが異なることを特徴とする請求項２〜６のいずれか１項に記載のレンズ位置調整固定装置。
【請求項８】
平面部と該平面部に立設された立壁とから構成される支持体のＬ字状面に向かってレンズ枠を当接し、前記支持体に固定された押さえ具により前記レンズ枠を挟持して保持すると共に、前記レンズ枠を必要な方向に移動させる調整部材を備えたレンズ位置調整固定装置において、前記支持体には、調整部材挿入用の貫通孔が形成され、前記押さえ具は、弾性による付勢力を作用させて前記レンズ枠をそれぞれ独立に保持する複数の保持部を有するレンズ位置調整固定装置を用い、
前記調整部材を前記貫通孔へ装填した状態でレンズ位置を調整し、
前記調整部材を前記貫通孔から撤去させることにより前記レンズ枠を強固に保持して固定することを特徴とするレンズ位置調整固定方法。
【請求項９】
請求項１〜請求項７のいずれか１項に記載のレンズ位置調整固定装置を用い、
前記調整部材を前記貫通孔へ装填した状態でレンズ位置を調整し、
前記調整部材を前記貫通孔から撤去させることにより前記レンズ枠を強固に保持して固定することを特徴とするレンズ位置調整固定方法。
【発明の詳細な説明】
【０００１】
【発明の属する技術分野】
本発明は光学式情報記録・再生装置などの光学装置に用いられ、レンズ枠の位置を微調整できると共に位置を固定できる位置調整固定装置及びレンズ位置調整固定方法に関する。
【０００２】
【従来の技術】
従来から、図４に示すような光学式情報記録再生装置が知られている。図４において、符号１は固定光学部であり、この固定光学部１は、レーザー光を可動光学部との間の光路２に向けて発するとともに、図示してない光ディスクで反射されたレーザー反射光を光路２を介して受光する。また、符号３は可動光学部であり、矢印Ａ方向に移動自在に設けられ、光路２を介して固定光学系１と光学的に連繋されている。また、符号４は光ディスクを回転駆動するスピンドルモータであり、符号５はスピンドルモータ４の回転を制御する回転制御部である。
【０００３】
可動光学部３は、光路２と平行な一対の案内レール６，６に摺動可能に保持され、リニアモータ機構７によって案内レール６，６上を往復移動する。このリニアーモータ機構７は、ヨーク７ａ，７ａ、マグネット７ｂ，７ｂ、コイル７ｃ，７ｃから構成されている。
【０００４】
ところで、固定光学部１内には、図示してないが半導体レーザーからのレーザー光を光路２に導く出射光学系、光ディスクなどの記録担体で反射し光路２を介して入射したレーザー光を受光素子８に導く受光光学系などが設けられている。そしてこの固定光学部１の製造時には、記録担体と光ビームとの相対的な整列関係を維持するために、この出射光学系や受光光学系に設けられた各レンズの光軸、焦点位置などを移動させて正確に整列関係を微調整しておく必要がある。このため、コリメートレンズ、検出レンズなどのレンズを装着した光学部品としてのレンズ枠は、種々のレンズ位置調整固定機構によってベース部材に微調整可能に取り付けられている。
【０００５】
このような、レンズ位置調整固定機構９として、例えば図５に示す様なものが知られている。図５において、符号１０は、集光レンズ１１を装着した円筒状のレンズ枠であり、このレンズ枠１０は、装置のベース１２の上底壁１３と、このベース１２の一部に立設した立設部１４の内壁１５とで形成されるＬ字状の面に接するように載置されている。この立設部１４の上平面１６には、固定ネジ１７によって板バネにより構成され、先端部１８ａが傾斜された押さえ具１８の基部１８ｂが固定されている。これにより、レンズ枠１０の外周面は、上底壁１３及び内壁１５に弾性的に押圧されてベース１２に保持される。
【０００６】
一方、レンズ枠１０の外周面の一部には、光軸と直交する方向に延びる凹溝１９が形成されている。この凹溝１９には、立設部１４に横方向から螺合された調整治具２０の先端に設けられた偏心ピン２０ａが嵌入されており、この調整治具２０を回転させることで偏心ピン２０ａと凹溝１９とのカム機構によってレンズ枠１０は軸方向に移動可能とされている。
【０００７】
このレンズ位置調整機構９によれば、押さえ具１８が弾性体であるので、この押さえ具１８によりレンズ枠１０をベース１２に保持した状態で調整治具２０を回転させることで光軸方向の微調整が可能となるが、調整後に落下等の強い衝撃があると、レンズ枠１０のベース１２上の位置がずれることがあった。
【０００８】
これを補うためにレンズ枠１０をベース１２に接着剤により固定することも考えられるが、接着剤などにより固定すると固定後に最終調整が必要な場合などの再調整が行えないという問題が生じるので、例えば、図６、図７に示すようなレンズ位置調整固定装置２１が実開平５−２１３２３号公報により提案されている。
【０００９】
このものでは、押さえ具２２を一枚の板バネで構成し、その一端の基部２２ａを立設部１４の上平面１６に固定ネジ２３で固定している。この押さえ具２２は、他端側を平行な３本の押圧片として構成し、中央の片を固定片２４として長く形成し、両側の片を半固定片２５として短く形成している。半固定片２５は、基部２２ａから延びる先端部２５ａが傾斜され、その先端部２５ａは、レンズ枠１０の外周面に当接され、自身の弾性力で付勢して弾接している。また、固定片２４は、基部２２ａから傾斜した中間部２４ａと先端部２４ｂとから構成され、その先端部２４ｂがレンズ枠１０の前方に延びて、係止ネジ２６によって上底壁１３に固定されることにより、中間部２４ａはレンズ枠１０に強固に弾接されて、レンズ枠１０の外周面は強固にベース１２に固定される。
【００１０】
この構成によれば、係止ネジ２６で固定片２４を固定していないときには、半固定片２５がレンズ枠１０の外周面に弾接することで、レンズ枠１０をベース１２に対して半固定状態とする。この半固定状態では、調整治具２０を操作することで、偏心ピン２０ａが凹溝１９内で回転され、カム動作によってレンズ枠１０を光軸方向に移動させ、内蔵されているレンズの位置調整を行うことができる。そして、レンズ枠１０を固定片２４により強固に固定することにより、落下等の衝撃による位置ズレが防止される。
【００１１】
【発明が解決しようとする課題】
しかしながら、このような実開平５−２１３２３号公報に記載の技術では、固定片２４があるので、落下等の強い衝撃により、レンズ枠の位置がずれることは改良されるものの、この固定片２４は、係止ネジ２６により固定される必要があるので、レンズ枠１０の前方には固定片２４のためのスペースが必要となる。このため、このようなレンズ位置調整固定装置は広いスペースを必要とし、装置の小型化に対応しがたい。また、この固定には、係止ネジ２６による固定操作が必要となり、調整、固定操作が煩雑となる。
【００１２】
本発明の第１の目的は、レンズ位置の調整を行うことができると共に、調整された後に、落下等の強い衝撃が加わった場合にも調整位置が移動されないレンズ位置調整固定装置を提供することである。また、本発明の別の目的は、レンズ位置調整操作が容易なレンズ位置調整固定装置を提供することである。また、本発明の他の目的は、広いスペースを必要としないレンズ位置調整固定装置を提供することである。また、本発明の他の目的は、調整が容易であり、かつ、調整後の位置ズレのないレンズ位置調整固定方法や広いスペースを必要としないレンズ位置調整固定方法を提供することである。
【００１３】
【課題を解決するための手段】
上記目的を達成するために、請求項１の発明は、平面部と該平面部に立設された立壁とから構成される支持体のＬ字状面に向かってレンズ枠を当接し、前記支持体に固定された押さえ具により前記レンズ枠を挟持して保持すると共に、前記レンズ枠を必要な方向に移動させる調整部材を備えたレンズ位置調整固定装置において、前記押さえ具は、弾性による付勢力を作用させて前記レンズ枠をそれぞれ独立に保持する複数の保持部を有し、前記支持体には、前記保持部の少なくとも一つが干渉する位置に配置された貫通孔を有することを特徴とするレンズ位置調整固定装置である。
【００１４】
請求項２の発明は、前記保持部は、前記調整部材による位置調整可能な状態で前記レンズ枠を保持する第１保持部と、弾性による強い付勢力を作用させて前記レンズ枠を強固に保持する第２保持部とから構成され、前記貫通孔と干渉される位置に配置される保持部は、前記第２保持部であることを特徴とする請求項１に記載のレンズ位置調整固定装置である。
【００１５】
請求項３の発明は、前記調整部材が前記貫通孔に正確に挿入されたときに前記調整部材が前記第２保持部に当接することを特徴とする請求項２に記載のレンズ位置調整固定装置である。
【００１６】
請求項４の発明は、前記第２保持部の強い付勢力は、前記調整部材の撤去により再び作用されることを特徴とする請求項２又は請求項３に記載のレンズ位置調整固定装置である。
【００１７】
請求項５の発明は、前記押さえ具は、一端が支持体に固定され、他端は弾性を有する３片の板バネから構成される押圧片として形成され、第２保持部は、中央に形成され、第１保持部はその両側に形成されていることを特徴とする請求項２〜請求項４のいずれか１項に記載のレンズ位置調整固定装置である。
【００１８】
請求項６の発明は、平面部と該平面部に立設された立壁とから構成されるＬ字状面にレンズ枠を当接して支持する支持体と、該支持体に固定される基部と、該基部からレンズ枠側に延びる平行な複数の弾性押圧片とを有し、該弾性押圧片の弾性による付勢力により前記レンズ枠を挟持して保持する押さえ具と、前記支持体に前記レンズ枠に連通する貫通孔を設け、前記押さえ具により保持された状態で該貫通孔を貫通して前記レンズ枠を必要な方向に移動させる調整部材とを有するレンズ位置調整固定装置において、前記弾性押圧片は、前記基部の両側から前記レンズ枠側に平行に延びて前記支持体に弾性による付勢力を作用させて、前記調整部材による位置調整可能な状態で前記レンズ枠を保持する第１保持部と、前記基部の中央から前記レンズ枠側に延びて、前記支持体に弾性による強い付勢力を作用させて、前記レンズ枠を強固に保持する第２保持部とを有し、前記押さえ具が固定された支持体のレンズ枠側に前記貫通孔へ連通する凹所を設け、前記第２保持部は、屈曲されて前記貫通孔へ延びて突出する突出部が形成され、前記調整部材を前記貫通孔を貫通して装填することによって、前記突出部が前記調整部材の一部と干渉して前記第２保持部が弾性変形されて前記強い付勢力が解除または緩和されることにより前記調整部材によるレンズ位置の調整が可能とされることを特徴とするレンズ位置調整固定装置である。
【００１９】
請求項７の発明は、前記調整部材は、先端に偏心ピンを有し、回動させることにより前記レンズ枠の移動が可能とされる調整棒を有すると共に、前記貫通孔に前記調整棒を挿入・撤去する方向と、前記レンズ枠の移動のために前記調整棒を回動させる回動方向とが異なることを特徴とする請求項２〜６のいずれか１項に記載のレンズ位置調整固定装置である。
【００２０】
請求項８の発明は、平面部と該平面部に立設された立壁とから構成される支持体のＬ字状面に向かってレンズ枠を当接し、前記支持体に固定された押さえ具により前記レンズ枠を挟持して保持すると共に、前記レンズ枠を必要な方向に移動させる調整部材を備えたレンズ位置調整固定装置において、前記支持体には、調整部材挿入用の貫通孔が形成され、前記押さえ具は、弾性による付勢力を作用させて前記レンズ枠をそれぞれ独立に保持する複数の保持部を有するレンズ位置調整固定装置を用い、前記調整部材を前記貫通孔へ装填した状態でレンズ位置を調整し、前記調整部材を前記貫通孔から撤去させることにより前記レンズ枠を強固に保持して固定することを特徴とするレンズ位置調整固定方法である。
【００２１】
請求項９の発明は、請求項１〜請求項７のいずれか１項に記載のレンズ位置調整固定装置を用い、前記調整部材を前記貫通孔へ装填した状態でレンズ位置を調整し、前記調整部材を前記貫通孔から撤去させることにより前記レンズ枠を強固に保持して固定することを特徴とするレンズ位置調整固定方法である。
【００２２】
請求項１の発明のように構成すれば、支持体には、調整部材挿入用の貫通孔が形成され、保持部の少なくとも一つが、貫通孔と干渉する位置に配置されるので、貫通孔に調整部材を挿入すると、保持部材の少なくとも一つが調整部材と干渉してレンズ枠を保持する付勢力が解除又は緩和される。
【００２３】
請求項２の発明のように構成すれば、第１保持部の弾性力により保持された状態で、レンズ枠の位置は調整部材により調整される。この調整された位置は、第１保持部の弾性による付勢力により維持されており、調整後第１保持部より付勢力の大きい第２保持部によっても固定される。これにより、微調整された位置は、強い衝撃があっても位置ずれすることがない。
【００２４】
請求項３の発明のように構成すれば、調整部材が貫通孔に正確に挿入されたときに調整部材が第２保持部に当接して第２保持部の付勢力が緩和又は解除される。これにより調整部材が正確に挿入されたときだけ位置調整が可能となり、調整不良となることはない。
【００２５】
請求項４の発明のように構成すれば、位置調整のために調整工具を装填すると付勢力が働き第２保持部のレンズ枠に対する付勢力は解除または緩和されて位置調整が可能となり、調整後は調整工具の撤去により第２保持部に作用されていた付勢力が解除または緩和されて第２保持部の付勢力が再び働く。これらの動作は、調整工具の装填、撤去に連動して行われるので、従来のネジ止め固定操作などの特別の操作が不要となる。これにより、レンズ位置調整操作が容易となる。
【００２６】
請求項５の発明のように構成すれば、押さえ具が一端で固定されるので、レンズ位置調整固定装置は小さく構成でき、広いスペースを必要としない。
【００２７】
請求項６の発明のように構成すれば、レンズ位置調整操作が容易であり、広いスペースを必要とせず、かつ、レンズ焦点位置の調整を行うことができると共に、調整された後に、落下等の強い衝撃が加わった場合にも調整位置が移動されないレンズ位置調整固定装置が提供できる。
【００２８】
請求項７の発明のように構成すれば、第２保持部の付勢を解除した状態で、調整を行うことができるレンズ位置調整固定装置が提供される。
【００２９】
請求項８の発明のように構成すれば、貫通孔に調整部材を挿入すると、保持部材の少なくとも一つが調整部材と干渉してレンズ枠を保持する付勢力が解除又は緩和され、この状態で、レンズ枠の位置が調整部材により調整される。調整後に調整部材を撤去することにより、付勢力の大きい保持部によって固定される。これにより、レンズ焦点位置の調整を行うことができると共に、調整後に、落下等の強い衝撃が加わった場合にも調整位置が移動されないレンズ位置の調整固定方法が提供される。
【００３０】
請求項９の発明のように構成すれば、操作が容易であり、広いスペースを必要とせず、かつ、レンズ焦点位置の調整を行うことができると共に、調整された後に、落下等の強い衝撃が加わった場合にも調整位置が移動されないレンズ位置の調整固定方法が提供される。
【００３１】
【発明の実施の形態】
以下、本発明の実施の形態について説明する。なお、従来技術の説明と同一のものについては同一符号を付して詳細な説明を省略し、異なる部分についてのみ説明することとする。
【００３２】
この実施の形態のレンズ位置調整固定装置２７は、図４に示した固定光学部１の内部に設けられた出射光学系や受光光学系のレンズ位置を調整し、固定するための治具である。このレンズ枠１０の光軸延長方向には受光素子８が配置されている。
【００３３】
このレンズ位置調整固定装置２７は、図１〜図３に示すように、レンズ枠１０を載置するＬ字状のベース１２と、レンズ枠１０を保持する押さえ具２８と、レンズ枠１０の位置を調整する調整治具２０とから大略構成されている。図１において、レンズ枠１０は、上底壁１３と内壁１５とで形成されるＬ字状のベース１２に接して載置されている。立設部１４には、調整治具２０を装着するための貫通孔２９が形成されている。また、上平面１６のレンズ枠１０側は、この貫通孔２９に連通する凹部３０が形成されている。
【００３４】
調整治具２０は、円柱状の調整棒２０ｃとその先端に偏心して設けられた偏心ピン２０ａとから構成されており、調整棒２０ｃの他端にはフランジ形態の摘み部２０ｂが設けられている。この調整棒２０ｃの長さは、図３に示すように、調整治具２０を貫通孔２９に一杯に押し込んで装着した状態、すなわち、摘み部２０ｂを立設部１４の外壁１５ａに当接した状態で、偏心ピン２０ａの先端が、凹溝１９の底辺とわずかに隙間を開けて保持される程度である。この調整治具２０は、装着・脱着のために軸方向に移動可能であり、また、一杯に押し込んだ装着状態で調整治具２０は回動可能である。調整治具２０の回動により、偏心ピン２０ａと凹溝１９とはカム機構により、レンズ位置のスムースな微調整が行える。
【００３５】
調整棒と摘み部とをブラケットによって調整治具のベース材に固定し、調整棒の周囲とブラケットとの間に圧縮コイルスプリングを設けることにより、位置調整する際の摘み部の操作感覚の向上を図ってもよい。
【００３６】
一方、押さえ具２８は、板バネなどの弾性体から構成され、その一端の基部２８ａは固定ネジ３１、３１により固定されている。この基部２８ａから連続して他端側に向かって３本の押圧片３２，３３，３２が櫛歯状に延設されている。
【００３７】
両側の押圧片３２、３２は、基部２８ａからレンズ枠１０の上方に延びる平坦面３２ａ、３２ａと、その平坦面３２ａ、３２ａからレンズ枠１０に接して延びる傾斜面３２ｂ、３２ｂとから構成されている。その傾斜面３２ｂ、３２ｂはレンズ枠１０の外周面と当接された状態での傾斜角度が略４５度であり、レンズ枠１０の光軸方向略中心を挟んで等距離に当接される。これにより、上底壁１３と内壁１５との双方に平均的に安定して当接される。
【００３８】
中央の押圧片３３は、基部２８ａから凹部３０に向かって傾斜された第１傾斜面３３ａと、その第１傾斜面３３ａからレンズ枠１０の上方に延びる第２傾斜面３３ｂと、その第２傾斜面３３ｂからレンズ枠１０に接して延びる第３傾斜面３３ｃとから構成されている。また、第１傾斜面３３ａと第２傾斜面３３ｂとが交差する部分は、貫通孔２９に突出されて突出部３４を形成し、第３傾斜面３３ｃはレンズ枠１０が上底壁１３と内壁１５との双方に平均的に安定して当接されるように略４５゜の角度で加圧されるような方向に折り曲げられている。また、中央の押圧片３３の付勢力（バネ力）は、両側の押圧片３２、３２の付勢力より大きく、レンズ枠１０を保持するに十分に強い。
【００３９】
以上のように構成されたレンズ位置調整固定装置２７の作用について説明する。
【００４０】
図２（ｂ）に示すように、調整治具２０が脱着された状態で、傾斜面３２ｂと第３傾斜面３３ｃとは、レンズ枠１０の外周面に当接され、レンズ枠１０を上底壁１３と内壁１５との交線に向かって自身の弾性により付勢して弾接している。この状態では、レンズ枠１０は、押圧片３２，３３により強固に保持されているので、強い衝撃があっても位置ずれを起こすことがない。
【００４１】
ついで、図３に示すように、貫通孔２９に調整治具２０を一杯に挿入して、調整治具２０を正確に貫通孔２９に装着することにより、凹溝１９に偏心ピン２０ａを嵌合させる。この状態で貫通孔２９に突出された突出部３４は、調整治具２０の外周部先端２０ｄに当接され、第１傾斜面３３ａは、レンズ枠１０側に押し上げられることにより押圧片３３は移動させられる。これにより、押圧片３３のレンズ枠１０に対する付勢力は解除され、図３では、当接部である第３傾斜面３３ｃは、レンズ枠１０と離間されている。
【００４２】
この状態では、光軸方向に平行に配列された一対の押圧片３２、３２（第１保持部）の弾性により上底壁１３、内壁１５側に向いた付勢力が働いており、レンズ枠１０は押しつけられて挟持されているが、その挟持力が弱いので、調整治具２０を回動することにより、レンズ枠１０は光軸方向に位置調整可能となる。これにより、摘み部２０ｂを手で回して調整治具２０を回動させることによって、レンズ枠１０がその光軸方向に僅かに移動して、集光レンズ１１の焦点位置をスムーズに微調整することができる。
【００４３】
位置調整が完了され調整治具２０を撤去すると、突出部３４を付勢していた付勢力が解除されるので、図２に示すように、再び押圧片３３は、自身の弾性によりレンズ枠１０を付勢して弾接することになる。このとき、押圧片３２の弾性による付勢力と押圧片３３の弾性による付勢力とが同方向に向けてレンズ枠１０を付勢しているので、調整後に押圧片３３の付勢力を作用させても位置ずれを起こすことがない。これにより、高精度に微調整された状態が保たれると共に、強い衝撃があっても位置ずれすることがないレンズ位置調整固定装置となる。
【００４４】
レンズ焦点位置の調整を再度行うときには、調整治具２０を装着すれば、押圧片３３は固定が解除または緩和されるので、レンズ枠１０は再調整できる。また、図３においては、調整治具２０は、完全には取り外していないが、調整後には不要となるので取り外すことにより、重量の軽減が計れる。このように、調整治具２０による突出部３４の押圧、解除により第２保持部としての押圧片３３は弾性変形範囲内で変形、復元を繰り返すことにより、レンズ枠１０に対する付勢力を変更することができる。
【００４５】
なお、この実施の形態では、押圧片３３はジグザグに屈曲された構成とされているが、この押圧片の形状は自由である。突出部３４が貫通孔２９に突出されて、調整治具２０を装着することにより調整治具２０が突出部３４と干渉して、この押圧片３３の押圧力が解除されればよいので、第２傾斜面３３ｂはレンズ枠１０の外周面に沿った曲面とするなどして、コンパクトに設計してもよい。
【００４６】
以上の説明では、光学式情報記録再生装置について説明したが、光学式情報記録装置、光学式情報再生装置はもちろんのこと、レンズの微妙な位置調整が必要な他の光学装置にも本発明は利用できる。また、レンズ光軸周りにレンズ枠を回動して調整を行うレンズ調整固定装置にも応用可能である。
【００４７】
また、以上の説明でレンズ枠は、固定光学系に装着された例で説明したが、可動光学系に配置してもよい。このように可動部分に配置することにより、慣性モーメントが大きく働いても、この発明の装置は位置ずれを起こすことがない。また、調整治具２０は調整後は脱着されるので、部品の軽量化も計れるこの発明の装置は駆動部分の摩耗を少なくできる。また、押さえ具２８を含めた各部品をプラスチックとすることにより、軽量化が図れることはもちろんである。
【００４８】
【発明の効果】
以上説明したように、請求項１の発明によれば、レンズ焦点位置の調整を行うことができると共に、調整された後に、落下等の強い衝撃が加わった場合にも調整位置が移動されないレンズ位置調整固定装置が提供できる。
【００４９】
請求項２の発明によれば、請求項１の発明の効果に加え、第１保持部の弾性力により保持された状態でレンズ枠の位置は調整部材により調整され、調整後第１保持部より付勢力の大きい第２保持部によっても固定できる。
【００５０】
請求項３の発明のによれば、請求項２の発明の効果に加え、調整部材が正確に挿入されたときだけ位置調整が可能となり、調整不良となることはない。
【００５１】
請求項４の発明によれば、請求項２又は請求項３の発明の効果に加え、位置調整のために調整工具を装填すると第２保持部に対する付勢力が働き第２保持部のレンズ枠に対する付勢力は解除・緩和されて位置調整が可能となり、調整後に調整工具の撤去により第２保持部に対する付勢力が解除され、第２保持部の付勢力が再び働くので、従来のネジ止め固定操作などの特別の操作が不要となり、レンズ位置調整操作が容易となる。
【００５２】
請求項５の発明によれば、請求項２〜請求項４のいずれかに記載の発明の効果に加え、押さえ具が一端で固定されるので、レンズ位置調整固定装置は小さく構成でき、広いスペースを必要としない。
【００５３】
請求項６の発明のように構成すれば、レンズ位置調整操作が容易であり、広いスペースを必要とせず、かつ、レンズ焦点位置の調整を行うことができると共に、調整された後に、落下等の強い衝撃が加わった場合にも調整位置が移動されないレンズ位置調整固定装置が提供できる。
【００５４】
請求項７の発明によれば、請求項２〜請求項６のいずれかに記載の発明の効果に加え、第２保持部の付勢を解除した状態で、調整を行うことができる具体的なレンズ位置調整固定装置が提供できる。
【００５５】
請求項８の発明によれば、レンズ焦点位置の調整を行うことができると共に、調整された後に、落下等の強い衝撃が加わった場合にも調整位置が移動されないレンズ位置調整固定方法が提供できる。
【００５６】
請求項９の発明によれば、操作が容易であり、広いスペースを必要とせず、また、レンズ焦点位置の調整を行うことができると共に、調整された後に、落下等の強い衝撃が加わった場合にも調整位置が移動されないレンズ位置の調整固定方法が提供できる。
【図面の簡単な説明】
【図１】実施の形態の位置調整固定装置の概略を説明するための組立図である。
【図２】図１の位置調整固定装置を説明するための調整治具を脱着した場合の図であり、（ａ）は平面図、（ｂ）は断面図である。
【図３】図１の位置調整固定装置を説明するための調整治具を装着した場合の図であり、（ａ）は平面図、（ｂ）は断面図である。
【図４】一般的な光学式情報記録再生装置の概略構成を示した平面図である。
【図５】従来の位置調整固定装置を説明するための図であり、（ａ）は平面図、（ｂ）は断面図である。
【図６】従来の位置調整固定装置を説明するための斜視図である。
【図７】図６の位置調整装置を説明するための図であり、（ａ）は平面図、（ｂ）は断面図である。
【符号の説明】
１  固定光学部
１０  レンズ枠
１１  集光レンズ
１２  ベース（支持体）
１３  上底壁（平面部）
１５  内壁（立壁）
２０  調整治具（調整部材）
２８  押さえ具
３２  押圧片（第１保持部）
３３  押圧片（第２保持部）
３４  突出部
【図１】
0003694154.tif 000002
【図２】
0003694154.tif 000003
【図３】
0003694154.tif 000004
【図４】
0003694154.tif 000005
【図５】
0003694154.tif 000006
【図６】
0003694154.tif 000007
【図７】
0003694154.tif 000008